(57)【要約】【課題】  折り畳み可能な内枠と外枠を回動可能に軸着した状態で、軸着部分へ抑止要具を冠着し前後への回動を抑止できる内枠と外枠の軸着部回動抑止機構を提供する。【解決手段】  内枠と外枠で構成される折り畳み可能な枠体において、内枠と外枠を回動可能に軸２と軸止め３で軸着した軸着部分に、堅牢で加工容易な平板をコの字形に成形し、内枠又は外枠の内一枠が作動できる所定の切欠を横幅部に任意の寸法で設けた抑止要具１を軸着部に冠着し、軸２と軸止め３に添設する。【選択図】図２
2013199333.tif 000002
【特許請求の範囲】
【請求項１】
内枠と外枠で構成される折り畳み可能な枠体において、内枠と外枠を回動可能に軸と軸止めで軸着した軸着部分に、堅牢で加工容易な平板をコの字形に成形し、内枠又は外枠の内一枠が作動できる所定の切欠を横幅部に任意の寸法で設けた抑止要具を軸着部に冠着し、軸と軸止めに添設したことを特徴とする内枠と外枠の軸着部回動抑止機構。
【請求項２】
内枠と外枠に丸形状の各種鋼材を用いたことを特徴とする請求項１に記載の内枠と外枠の軸着部回動抑止機構。
【請求項３】
内枠と外枠にビート加工をした平鋼を用いたことを特徴とする請求項１に記載の内枠と外枠の軸着部回動抑止機構。
【請求項４】
内枠と外枠に合成樹脂で任意の形状に成型した形材を用いたことを特徴とする請求項１に記載の内枠と外枠の軸着部回動抑止機構。
【発明の詳細な説明】
【技術分野】
【０００１】
折り畳み可能な内枠と外枠を回動可能に軸着した時に、軸着部に回動抑止要具を用い一定以上の回動を抑止する内枠と外枠の軸着部回動抑止機構に関する。
【背景技術】
【０００２】
通常、折り畳み可能な内枠と外枠を回動可能に軸着した場合、そのままでは手を離すと両側に全開してしまう。従って、使用条件に合わせて開閉を抑止しなくてはならないが今回の提案は表裏各一箇所で抑止させるのが目的である。先に本発明者は折り畳み可能な内枠と外枠の軸着部回動抑止に関し、平形材を用い、四角形の内枠と外枠を回動可能に軸着し、回動抑止として軸着部付近の外枠に係止ピン、内枠にピン入り切欠を設けた袋の保持スタンド（図７参照）（特許文献１）と、堅牢なパイプを用い、コの字形の内枠と外枠を回動可能に軸着し、回動抑止として外枠の軸着部分上部にストッパーを設け、内枠と外枠の上部をチェーンで連結する折り畳み袋の口並列掛止傾斜ゴミ袋スタンド（図８参照）（特許文献２）を提案している。何れも内枠と外枠が使用前は裏側には開かず一体となり、使用時には内枠と外枠を開いてゴミ袋を装着するが、袋の保持スタンドでは上部の切欠、折り畳み袋の口並列掛止傾斜ゴミ袋スタンドでは上部のビスに袋の口を掛止させる。この場合の回動抑止はゴミ袋装着前に内枠と外枠が一定以上開かない状態を保持させる仮止めに位置付けられる形態である。
【先行技術文献】
【特許文献】
【０００３】
【特許文献１】特開２００６−１６０２６５
【特許文献２】特願２０１２−０２７５６２
【発明の概要】
【発明が解決しようとする課題】
【０００４】
内枠と外枠の回動抑止の目的は、折り畳み時には内枠と外枠が一体化して一方向(裏側で表記)には開かず反対の袋装着方向（表側で表記）には開き、袋の口が外枠と内枠に掛止が容易に行える位置に各種の部品で内枠と外枠を係止させることである。袋の保持スタンドでは、軸着部付近の外枠に係止ピン、内枠にピン入り切欠を設けているが内枠の切欠加工は強度を弱める。又、折り畳み袋の口並列掛止傾斜ゴミ袋スタンドでは、外枠にストッパー、内枠と外枠をチェーンで連結するがデザイン性で見劣りがするのと部品点数が多くコスト高となる。以上より、発明が解決しようとする課題は、内枠と外枠を回動可能に軸着した時に表側と裏側への作動を任意の位置で係止させると共に軸着部に容易に設けられる回動抑止要具を用いた内枠と外枠の軸着部回動抑止機構を提供することである。
【課題を解決するための手段】
【０００５】
内枠と外枠で構成される折り畳み可能な枠体において、内枠と外枠を回動可能に軸と軸止めで軸着した軸着部分に、堅牢で加工容易な平板をコの字形に成形し、内枠又は外枠の内一枠が作動できる所定の切欠を横幅部に任意の寸法で設けた抑止要具を軸着部に冠着し、軸と軸止めに添設する。
【発明の効果】
【０００６】
本発明の内枠と外枠の軸着部回動抑止機構は、主に、各種の折り畳みゴミ袋スタンドで内設している内枠と外枠が使用時に表側のみ一定の寸法に開きゴミ袋の装着前に内枠と外枠が全開しない状態を保つ為に設けるもので、使用時の折り畳みゴミ袋スタンドは装着したゴミ袋の口で保持されて安定した立設状態となる。本発明は内枠と外枠が一定以上開くのが防止できればよいので、内枠が作動できる所定の切欠を設けた平板をコの字に成形して軸着部に冠着して固定すれば、裏側にはコの字の切欠下面が当接するので開きが防止され、表側には内枠が切欠に遊嵌し切欠下部に当接して係止する。尚、内枠の開く角度は切欠の奥行き寸法で調節すればよい。従って、本発明の回動抑止要具を用いれば、袋の保持スタンドでは係止ピンとピン入り切欠が不要、折り畳み袋の口並列掛止傾斜ゴミ袋スタンドではストッパーとチェーンが不要となり回動抑止機能が軸着部に集約されるのでシンプルな形状となり安価にて提供することが出来る。
【０００７】
内枠と外枠に使用する素材は、使用条件に合わせて各種のパイプ（鋼管、アルミ管、ステンレス管、電線管、合成樹脂管、プラスチック被覆鋼管等）又は平鋼板（ビート加工で補強）又は合成樹脂成型材を選定するが、本発明の内枠と外枠の軸着部回動抑止機構は、内枠と外枠の外側形状に合わして寸法を設定したコの字形抑止要具の寸法を変更するだけですべての素材に容易に対応することができる。
【図面の簡単な説明】
【０００８】
【図１】内枠と外枠にパイプを用いた内枠と外枠の軸着部回動抑止機構の正面図である。
【図２】図１のＡ−Ａ断面図である。
【図３】内枠と外枠にビート加工をした平板を用いた内枠と外枠の軸着部回動抑止機構の正面図である。
【図４】図３のＢ−Ｂ断面図である。
【図５】内枠と外枠にパイプを用い軸着部分に回動抑止機構を設けた折り畳み袋の口並列掛止傾斜ゴミ袋スタンドの正面図である。
【図６】内枠と外枠にパイプを用い軸着部分に回動抑止機構を設けゴミ袋を装着した折り畳み袋の口並列掛止傾斜ゴミ袋スタンドの側面図である。
【図７】内枠と外枠に平板を用い軸着部分の回動抑止に係止ピンとピン入り切欠を設けゴミ袋を装着した袋の保持スタンドの側面図である。
【図８】内枠と外枠にパイプを用い軸着部分の回動抑止にストッパーとチェーンを設けゴミ袋を装着した折り畳み袋の口並列掛止傾斜ゴミ袋スタンドの側面図である。
【発明を実施するための形態】
【０００９】
内枠と外枠が回動可能に軸と軸止めで軸着されている軸着部にコの字形に成形した平板に内枠が作動する切欠を設けた抑止要具を外側から冠着し両側を軸と軸止めにして添設する。
【実施例１】
【００１０】
図１は、内枠と外枠にパイプを用いた内枠と外枠の軸着部回動抑止機構の正面図、図２は図１のＡ−Ａ断面図である。平板をコの字成形した横幅部に内枠が作動できる切欠を設けた抑止要具１を軸着部の外枠と内枠に冠着して軸２と軸止め３に添設にする。従って、抑止要具１が軸２と軸止め３で固定されているので内枠と外枠は抑止要具１の下面に当接するので裏側には開かない。表側には内枠が切欠内を通過し切欠下面に当接して係止するので切欠寸法で開き角度を調節することができる。尚、抑止要具１の切欠は内枠と外枠の回動方向に合わせて左右上下どこでも対応できる。又、本実施例では軸２にトラス小ネジ、軸止め３にＵナットを使用しているが確実に固定できれば他の部品（ピン、リベット等）であってもよい。                                                  
【実施例２】
【００１１】
図３は、内枠と外枠にビート加工をした平板を用いた内枠と外枠の軸着部回動抑止機構の正面図、図４は図３のＢ−Ｂ断面図である。平板はそのままで使用すると曲がり易いのでビート加工（平板の縦方向に任意の形状をプレスで成形する）を施すことにより曲げ強度が増し製作もパイプより容易に行える。抑止要具１ａはパイプ用と同様に軸２ａと軸止め３ａで軸着する。平板を使用すれば幅寸法がパイプ径から板厚になるので小さくなる。従って、ビート加工をした平板はゴミ袋の装着枚数が少なく強度をあまり必要としない場合には最適の素材である。
【実施例３】
【００１２】
図５は内枠と外枠にパイプを用い軸着部分に回動抑止機構を設けゴミ袋を装着した折り畳み袋の口並列掛止傾斜ゴミ袋スタンドの正面図、図６は側面図である。図５は折り畳んだ状態、図６は使用時に内枠を前方へ引き出してＸ字状に立設させた状態でゴミ袋の口を内枠と外枠の上面ビスに係止させて装着する。この時に立設させるスタンドは抑止要具１でゴミ袋の装着寸法より若干広く設定しておけば立設が保持されているのでゴミ袋の装着が容易に行える。尚、左右の抑止要具１の形状は対称となる。
【実施例４】
【００１３】
図７は、内枠と外枠に平板を用い軸着部分の回動抑止に係止ピンとピン入り切欠を設けゴミ袋を装着した袋の保持スタンド（特許文献１）の側面図である。回動抑止を軸着部に集約しているが内枠の切欠が強度に影響し枠がパイプの場合には適用できない。
【実施例５】
【００１４】
図８は、内枠と外枠にパイプを用い軸着部分の回動抑止にストッパーとチェーンを設けゴミ袋を装着した折り畳み袋の口並列掛止傾斜ゴミ袋スタンド（特許文献２）の側面図である。チェーンとビスに関連した部品は開閉防止用として他の折り畳み式の製品にもよく使用されているが部品点数が多く加工も含めるとコスト高となり美観的にも劣る。
【産業上の利用可能性】
【００１５】
軸着部分回動抑止の方法として先に本発明者が提案している袋の保持スタンドでは係止ピンとピン入り切欠、折り畳み袋の口並列掛傾斜ゴミ袋スタンドではストッパーとチェーン又は曲げ加工をした平板を用いておりそれぞれの機能面では問題はないが、これらを本発明の軸着部回動抑止要具に変更すれば全てが軸着部分に集約できるのでデザイン的に優れた形態となると共に加工及び部品点数が少なくなりコストダウンになり利用の可能性は高くなる。又、他の折り畳みを特徴とし内枠と外枠で構成されているテーブル、物干し等にも利用が可能である。
【符号の説明】
【００１６】
１    抑止要具
１ａ  抑止要具
２    軸
２ａ  軸
３    軸止め
３ａ  軸止め
【図１】
2013199333.tif 000003
【図２】
2013199333.tif 000004
【図３】
2013199333.tif 000005
【図４】
2013199333.tif 000006
【図５】
2013199333.tif 000007
【図６】
2013199333.tif 000008
【図７】
2013199333.tif 000009
【図８】
2013199333.tif 000010